(57)【要約】【課題】紙箱を解体などする際に手で触っても手が痛くならない構造を有する帯状の開封構造と該開封構造が設けられた紙箱又はダンボール箱を提供すること。【解決手段】紙箱等の開口予定部に、開封方向に沿って略への字状の切れ目線（１１）が断続的に同一位相で規則的に二列平行の設けられた帯状の開封構造（１０）であって、略への字状の切れ目線（１１）は、先端部分（１２）から山型の屈曲部（１３）までは曲線状に立ち上がり、曲線部末端から先は直線状（１４）に下がる形状に形成された屈曲線であって、屈曲線の先端部分（１２）と末端部分（１５）とが同一線上に並ぶように同一方向につなぎ部分（ｔ）を介在させて連続して設けられている。【選択図】図２
2008087772.tif 000002
【特許請求の範囲】
【請求項１】
紙箱等の開口予定部に、開封方向に沿って略への字状の切れ目線が断続的に同一位相で規則的に二列平行に設けられた帯状の開封構造であって、
前記略への字状の切れ目線は、先端部分から山型の屈曲部分までは曲線状に立ち上がり、屈曲部末端から先は直線状に下がる形状に形成された屈曲線であって、該屈曲線の先端部分と末端部分とが同一線上に並ぶように同一方向につなぎ部分を介在させて連続して設けられていることを特徴とする帯状の開封構造。
【請求項２】
前記二本の連続して並べられた屈曲線は、帯の横方向の中心線に対して上下対称に設けられていることを特徴とする請求項１記載の帯状の開封構造。
【請求項３】
前記帯状の開封構造の開封開始部分には、帯状の開封構造の屈曲線と同一線上に、直線状の切れ目線が設けられていることを特徴とする請求項１又は２記載の帯状の開封構造。
【請求項４】
請求項1、２又は３記載の帯状の開封構造を開口予定部に設けた紙箱又はダンボール箱。
【発明の詳細な説明】
【技術分野】
【０００１】
本発明は、紙箱など紙器の開口部に用いられる帯状の開封構造に関し、特には、切り口が丸みを帯びた安全に配慮した帯状の開封構造と該開封構造が設けられた紙箱又はダンボール箱に関する。
【背景技術】
【０００２】
従来、紙箱など紙器の開封構造の一つに、紙箱の開口部に、例えば、図５、図６に示すような、ミシン目状の切れ目線を二本平行に設けた帯状構造（１００）があり、このような開封構造を備えた紙箱はジッパー付きカートンとも呼ばれて菓子類、事務用品等を収納する容器として多用されている（例えば、特許文献１、特許文献２参照）。
【０００３】
上記先行技術文献を示す。
【特許文献１】実開昭５４−５８３３５号公報。
【特許文献２】特開平８−１１４８８９号公報。
【０００４】
しかしながらこの方式の開封構造は、例えば、図７に示すように、直線状の横線（１）とその一端の斜め線（２）との組み合わせによるくの字状の屈曲線（３）をつなぎ部分（ｔ）を介在させて連続して設けた構造からなるため、帯状構造（１００）を引っ張って紙箱（２０）を開封し、内容物を取り出した後、紙箱を解体するなどの際、紙箱の帯状構造（１００）を除いた後の切り口の先端部分（１０１）が鋭角であるため、特に厚手の板紙や硬度のある板紙やダンボール箱では、手に触ると痛く、まれには怪我をする危険性もある（図８参照）。
【０００５】
また、屈曲線を円弧状にしたものもあるが、円弧状の屈曲線をした切れ目線を形成させるための切れ刃を抜き型にセットするには手間隙がかかり、製造上むずかしいという問題がある。
【発明の開示】
【発明が解決しようとする課題】
【０００６】
本発明は、従来の帯状開封構造に関する以上のような問題を解決するためになされたもので、紙箱を解体などする際にも手が痛くならない構造を有する帯状の開封構造と該開封構造が設けられた紙箱又はダンボール箱を提供することを課題とする。
【課題を解決するための手段】
【０００７】
本発明の請求項１の発明は、紙箱等の開口予定部に、開封方向に沿って略への字状の切れ目線が断続的に同一位相で規則的に二列平行に設けられた帯状の開封構造であって、前記略への字状の切れ目線は、先端部分から山型の屈曲部までは曲線状に立ち上がり、屈曲部末端から先は直線状に下がる形状に形成された屈曲線であって、該屈曲線の先端部分と末端部分とが同一線上に並ぶように同一方向につなぎ部分を介在させて連続して設けられていることを特徴とする、帯状の開封構造である。
【０００８】
このように請求項１記載の発明によれば、紙箱等の開口予定部に、開封方向に沿って略への字状の切れ目線が断続的に同一位相で規則的に二列平行に設けられた帯状の開封構造であって、前記略への字状の切れ目線は、先端部分から山型の屈曲部までは曲線状に立ち上がり、屈曲部末端から先は直線状に先端部分の切れ目線の開始部分の位置まで下がる形
状に形成された屈曲線であって、該屈曲線の先端部分と末端部分とが同一線上に並ぶように同一方向につなぎ部分を介在させて連続して設けられているので、帯状の開封構造を破って紙箱等を開封した際、帯を取り除いたあとの紙箱等の容器部分の切り口は丸みを帯び、手で押しても痛くない。
【０００９】
また、請求項２の発明は、請求項１の発明において、前記二本の連続して並べられた屈曲線は、帯の横方向の中心線に対して上下対称に設けられていることを特徴とする、帯状の開封構造である。
【００１０】
このように請求項２の発明によれば、二本の連続して並べられた屈曲線は、帯の横方向の中心線に対して上下対称に設けられているので、帯状の開封構造を破る際に力が左右に多少ぶれたとしても、帯状の開封構造はきちんと屈曲線に沿ってまっすぐ直線状に破りとる  ことができる。
【００１１】
また、請求項３の発明は、請求項１又は２の発明において、前記帯状の開封構造の開封開始部分には、帯状の開封構造の屈曲線と同一線上に直線状の切れ目線が設けられていることを特徴とする、帯状の開封構造である。
【００１２】
このように請求項３の発明によれば、帯状の開封構造の開封開始部分には、帯状の開封構造の屈曲線と同一線上に直線状の切れ目線が設けられているので、帯状の開封構造をつまんで引っ張れば直線状の切れ目線がきっかけとなって、帯状の開封構造は容易に連続して紙箱等を破って行くことができる。
【００１３】
また、請求項４の発明は、請求項1,2又は３記載の帯状の開封構造を開口予定部に設けた紙箱又はダンボール箱である。
【発明の効果】
【００１４】
このように本発明の帯状の開封構造は、切断面が丸みを帯びているため、手指に触れても痛くなく、安全で、紙箱やダンボール箱の側面や天面の開口予定部に使用可能である。また、曲線部分を少なくしてあるので、切れ刃を抜き型に埋め込む際も比較的簡単で手間がかからない。
【発明を実施するための最良の形態】
【００１５】
本発明を一実施形態に基づいて以下に詳細に説明する。
本発明の帯状の開封構造（１０）は、例えば、図１、図４に示すように、紙箱（２０）等の開口予定部に、開封方向に沿って略への字状の切れ目線（１１）が断続的に同一位相で規則的に二列平行に設けられた構造からなる。
【００１６】
さらに詳しく述べるならば、本発明の帯状の開封構造は、例えば、図１〜図４に示すように、前記略への字状の切れ目線（１１）は、先端部分（１２）から山型の屈曲部（１３）までは曲線状に立ち上がり、屈曲部の末端から先は直線状に、先端の切れ目線開始部分の位置まで下がる直線部分（１４）で形成された屈曲線（１１）である。
【００１７】
そして、この屈曲線（１１）の先端部分（１２）と末端部分（１５）とが同一線上に並ぶように同一方向につなぎ部分（ｔ）を介在させて連続して設けられている帯状の開封構造である。
【００１８】
つなぎ部分（ｔ）を介在させて連続して並べられた二本の平行な屈曲線は、帯の横方向の中心線に対して上下対称に設けられている。上下対称に設けられていることにより、帯状の開封構造を引っ張る際に、左右に力が振れても開封構造を最後まで破りとることがで
きる。
【００１９】
このような構造からなるので、帯状の開封構造を引っ張って紙箱（２０）等を開封した後の切り口の先端部分（１６）は、図３に示すように、丸みを帯びた形状となって手指が触れても痛くなし、手指を傷めることもない。厚手で硬度のある板紙やダンボールを用いた紙容器の場合には、特に効果が顕著である。
【００２０】
また、図1、図４に示すように、帯状の開封構造の開封開始部分に、帯状の開封構造の屈曲線（１１）と同一線上に、直線状の切れ目線（１７）をつなぎ部分（ｔ）を介在させて設けた構造としてもよい。直線状の切れ目線（１７）を設けることにより、この直線状の切れ目線（１７）がきっかけとなって、帯状の開封構造を容易に連続した状態で紙箱等を破ることができる。
【００２１】
本発明の帯状の開封構造は、紙箱やダンボール箱の一面に設けても良いし、紙箱やダンボール箱の外周面に対して二面以上にわたって連続して設けても良い。また、水平に設けても良いし、斜めに設けても良い。
【００２２】
図４は本発明の帯状の開封構造を設けた紙箱のブランクシートの一実施例を示す展開平面図である。これにつき簡単に説明する。
【００２３】
糊代片（２１）、正面板（２２）、側面板（２３）、裏面板（２４）、側面板（２５）がそれぞれ縦方向の折り曲げ線（ａ）を介して連設されている。
【００２４】
正面板（２２）の上下端には、上天面板（２２１）、上底面板（２２２）がそれぞれ横方向の折り曲げ線（ｂ）を介して連設されている。裏面板（２４）の上下端には、下天面板（２４１）、下底面板（２４２）がそれぞれ横方向の折り曲げ線（ｂ）を介して連設されている。
【００２５】
側面板（２３）の上下端には、舌片（２３１、２３２）がそれぞれ横方向の折り曲げ線（ｂ）を介して連設されている。側面板（２５）の上下端には、舌片（２５１、２５２）がそれぞれ横方向の折り曲げ線（ｂ）を介して連設されている。
【００２６】
そして、上天面板（２２１）の略中央には、横方向の折り曲げ線（ｂ）と平行に本発明の帯状の開封構造（１０）が設けられている。
【００２７】
つぎに、このような構造のブランクシートを紙箱（２０）又はダンボール箱に組み立てる際の組み立て方の一例を述べる。
【００２８】
まず、縦方向の折り曲げ線（ａ）に沿って、糊代片（２１）、正面板（２２）、側面板（２３）、裏面板（２４）、側面板（２５）に折りぐせをつけた後、正面板（２２）と側面板（２３）の間と、裏面板（２４）と側面板（２５）の間を折り曲げ、重なった糊代片（２１）の表面と側面板（２５）の裏面とを接着糊等を使用して貼着し、ブランクシートをスリーブ状に形成する。
【００２９】
スリーブを起こしながら、スリーブ上端の舌片（２３１、２５１）を折り曲げ、下天面板（２４１）を折り曲げ、下天面板（２４１）の上に、上天面板（２２１）が重なるように上天面板（２２１）を折り曲げる。この際、上天面板（２２１）の先端縁近傍裏面とそれに重なる下天面板（２４１）の表面とを接着糊等を用いて貼着し、紙箱の天部が形成される。
【００３０】
同様にスリーブ下端の舌片（２３２、２５２）、上底面板（２２２）、下底面板（２４２）を折り曲げ、接着糊等を用いて貼着して紙箱の底部が形成される。
【００３１】
このようにして作製した紙箱（２０）またはダンボール箱にあっては、使用時に、帯状の開封構造（１０）を先端から屈曲線に沿って引き裂くと、紙箱の天部から開封できる。開封した際の紙端面は、丸みを帯びた形状になっているので、手指が触れても痛くないし、手指を傷付けたりすることもない（図３参照）。
【図面の簡単な説明】
【００３２】
【図１】本発明の帯状の開封構造を設けた紙箱の一実施例を示す斜視説明図である。
【図２】本発明の帯状の開封構造の一実施例を拡大して示す平面説明図である。
【図３】本発明の帯状の開封構造を設けた紙箱を開封した際の切り口部分の状態を示す部分平面説明図である。
【図４】本発明の帯状の開封構造を設けた紙箱のブランクシートの一実施例を示す平面説明図である。
【図５】従来の帯状の開封構造を設けた紙箱の一例を示す斜視説明図である。
【図６】図５の紙箱の帯状の開封構造を破って紙箱を開封した状態を示す斜視説明図である。
【図７】従来の帯状の開封構造の一例を拡大して示す平面説明図である。
【図８】図７の帯状の開封構造を破った状態を示す平面説明図である。
【符号の説明】
【００３３】
１‥‥直線状の横線
２‥‥斜め線
３‥‥くの字状の屈曲線
１０‥‥帯状の開封構造
１１‥‥略への字状の切れ目線、屈曲線
１２‥‥先端部分
１３‥‥山型の屈曲部
１４‥‥直線部分
１５‥‥末端部分
１６‥‥切り口の先端部分
１７‥‥直線状の切れ目線
２０‥‥紙箱
２１‥‥糊代片
２２‥‥正面板
２３‥‥側面板
２４‥‥裏面板
２５‥‥側面板
１００‥‥帯状構造
１０１‥‥切り口の先端部分
２２１‥‥上天面板
２２２‥‥底面板
２３１‥‥舌片
２３２‥‥舌片
２４１‥‥下天面板
２４２‥‥下底面板
２５１‥‥舌片
２５２‥‥舌片
ａ‥‥縦方向の折り曲げ線
ｂ‥‥横方向の折り曲げ線
ｔ‥‥つなぎ部分
【図１】
2008087772.tif 000003
【図２】
2008087772.tif 000004
【図３】
2008087772.tif 000005
【図４】
2008087772.tif 000006
【図５】
2008087772.tif 000007
【図６】
2008087772.tif 000008
【図７】
2008087772.tif 000009
【図８】
2008087772.tif 000010